(57)【要約】【課題】不所望な漏れ光を抑制する。【解決手段】第１基板と、第１端部及び前記第１端部とは異なる位置の第２端部を有する第２基板と、前記第１基板と前記第２基板との間に配置される液晶層と、前記第１端部に沿って配置される光源部と、前記第２端部の少なくとも一部に配置される遮光部材と、を備える表示装置。【選択図】  図８Ａ
2019053186.tif 000002
【特許請求の範囲】
【請求項１】
第１基板と、
第１端部及び前記第１端部とは異なる位置の第２端部を有する第２基板と、
前記第１基板と前記第２基板との間に配置される液晶層と、
前記第１端部に沿って配置される光源部と、
前記第２端部の少なくとも一部に配置される遮光部材と、
を備える表示装置。
【請求項２】
前記第１基板は、前記第２端部側に位置する第３端部を有し、
前記遮光部材は、前記第３端部の少なくとも一部に配置される、請求項１に記載の表示装置。
【請求項３】
第３基板を備え、
前記第３基板は、前記第１端部側に位置する第４端部、及び、前記第２端部側に位置する第５端部を有し、
前記光源部は、前記第４端部に沿って配置され、
前記遮光部材は、前記第５端部の少なくとも一部に配置される、請求項１または２に記載の表示装置。  
【請求項４】
第１基板と、
第１端部及び前記第１端部とは異なる位置の第２端部を有する第２基板と、
前記第１基板と前記第２基板との間に配置される液晶層と、
前記第１端部に沿って配置される光源部と、
前記第２端部の少なくとも一部に配置される反射部材と、
を備える表示装置。
【請求項５】
前記第２端部と前記反射部材との間に位置する拡散部材を備える、請求項４に記載の表示装置。
【請求項６】
前記拡散部材は、異方性拡散部材である、請求項５に記載の表示装置。
【請求項７】
前記第１基板は、前記第２端部側に位置する第３端部を有し、
前記反射部材は、前記第３端部の少なくとも一部に配置される、請求項４乃至６のいずれか１項に記載の表示装置。
【請求項８】
第３基板を備え、
前記第３基板は、前記第１端部側に位置する第４端部、及び、前記第２端部側に位置する第５端部を有し、
前記光源部は、前記第４端部に沿って配置され、
前記反射部材は、前記第５端部の少なくとも一部に配置される、請求項４乃至７のいずれか１項に記載の表示装置。
【請求項９】
前記第２端部は、前記第１端部と対向する第１部分と、前記第１端部及び前記第１部分にそれぞれ隣接し互いに対向する第２部分及び第３部分とを有し、
前記反射部材及び前記拡散部材は、前記第１部分に配置され、
前記拡散部材は、前記第１部分に接触している、請求項４乃至８のいずれか１項に記載の表示装置。
【請求項１０】
前記反射部材及び前記拡散部材は、前記第２部分及び前記第３部分に配置され、
前記拡散部材は、前記第２部分及び前記第３部分にそれぞれ接触している、請求項９に記載の表示装置。
【請求項１１】
前記反射部材は、前記第２部分及び前記第３部分に配置され、
前記反射部材は、前記第２部分及び前記第３部分にそれぞれ接触している、請求項９に記載の表示装置。
【請求項１２】
前記光源部は、第１発光素子及び第２発光素子を備え、
前記第１端部において、前記第１発光素子と前記第２発光素子との間に位置する拡散部材を備える、請求項４に記載の表示装置。
【請求項１３】
前記液晶層は、高分子材料によって形成されたポリマーと、前記ポリマー内に分散された液晶分子と、を含む高分子分散型の液晶層である、請求項１乃至１２のいずれか１項に記載の表示装置。
【請求項１４】
前記第１基板は画素電極を備え、前記第２基板は共通電極を備え、
前記液晶層は、前記画素電極及び前記共通電極の電圧に応じて透明状態と散乱状態とが制御される、請求項１乃至１３のいずれか１項に記載の表示装置。
【請求項１５】
前記第２基板の前記第１端部、及び、前記第３基板の前記第４端部に、前記光源部からの光が入光する、請求項８に記載の表示装置。
【発明の詳細な説明】
【技術分野】
【０００１】
本発明の実施形態は、表示装置に関する。
【背景技術】
【０００２】
入射した光を拡散する拡散状態と入射した光を透過させる透過状態とを切り替え可能な高分子分散液晶（Polymer Dispersed Liquid Crystal：以下、『ＰＤＬＣ』と称する場合がある）を適用した照明装置が種々提案されている。導光板は、光源からの光を伝播するものである。導光板において、光入射面とは反対側の端部では、伝播された光が漏れ出すおそれがある。  
一方で、近年、ＰＤＬＣを適用した表示装置が種々検討されている。
【先行技術文献】
【特許文献】
【０００３】
【特許文献１】特許第５４６７３８９号公報
【特許文献２】特開２０１０−９２６８２号公報
【特許文献３】特開２０１６−５７３３８号公報
【発明の概要】
【発明が解決しようとする課題】
【０００４】
本実施形態の目的は、不所望な漏れ光を抑制することが可能な表示装置を提供することにある。
【課題を解決するための手段】
【０００５】
一実施形態によれば、  
第１基板と、第１端部及び前記第１端部とは異なる位置の第２端部を有する第２基板と、前記第１基板と前記第２基板との間に配置される液晶層と、前記第１端部に沿って配置される光源部と、前記第２端部の少なくとも一部に配置される遮光部材と、を備える表示装置が提供される。  
一実施形態によれば、  
第１基板と、第１端部及び前記第１端部とは異なる位置の第２端部を有する第２基板と、前記第１基板と前記第２基板との間に配置される液晶層と、前記第１端部に沿って配置される光源部と、前記第２端部の少なくとも一部に配置される反射部材と、を備える表示装置が提供される。
【図面の簡単な説明】
【０００６】
【図１】図１は、本実施形態における表示装置ＤＳＰの構成例を示す平面図である。
【図２】図２は、図１に示した表示装置ＤＳＰの斜視図である。
【図３】図３は、図１に示した表示装置ＤＳＰの断面図である。
【図４】図４は、透明状態の液晶層３０を模式的に示す図である。
【図５】図５は、散乱状態の液晶層３０を模式的に示す図である。
【図６】図６は、液晶層３０が透明状態である場合の表示パネルＰＮＬを示す断面図である。
【図７】図７は、液晶層３０が散乱状態である場合の表示パネルＰＮＬを示す断面図である。
【図８Ａ】図８Ａは、第１構成例を示す断面図である。
【図８Ｂ】図８Ｂは、第１構成例の第１変形例を示す断面図である。
【図８Ｃ】図８Ｃは、第１構成例の第２変形例を示す断面図である。
【図９】図９は、機能部材１００が遮光部材である場合の作用を説明するための断面図である。
【図１０】図１０は、機能部材１００が反射部材である場合の作用を説明するための断面図である。
【図１１】図１１は、第２構成例を示す断面図である。
【図１２】図１２は、第３構成例を示す断面図である。
【図１３】図１３は、第４構成例を示す断面図である。
【図１４】図１４は、拡散部材である第２機能部材１２０の拡散性を説明するための図である。
【図１５】図１５は、図１４に示した第２機能部材１２０の作用を説明するための断面図である。
【図１６】図１６は、図１４に示した第２機能部材１２０の作用を説明するための平面図である。
【図１７】図１７は、第１配置例を示す平面図である。
【図１８】図１８は、第２配置例を示す平面図である。
【図１９】図１９は、第３配置例を示す平面図である。
【図２０】図２０は、第４配置例を示す平面図である。
【図２１】図２１は、第５配置例を示す平面図である。
【図２２】図２２は、第６配置例を示す平面図である。
【図２３】図２３は、第７配置例を示す平面図である。
【図２４】図２４は、第８配置例を示す平面図である。
【発明を実施するための形態】
【０００７】
以下、いくつかの実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態における表示装置ＤＳＰの構成例を示す平面図である。図中において、第１方向Ｘ及び第２方向Ｙは互いに交差し、第３方向Ｚは第１方向Ｘ及び第２方向Ｙと交差している。一例では、第１方向Ｘ、第２方向Ｙ、及び、第３方向Ｚは、互いに直交しているが、互いに９０度以外の角度で交差していてもよい。本明細書において、第３方向Ｚを示す矢印の先端に向かう方向を「上」と称し、矢印の先端から逆に向かう方向を「下」と称する。「第１部材の上の第２部材」及び「第１部材の下の第２部材」とした場合、第２部材は、第１部材に接していてもよいし、第１部材から離間していてもよい。また、第３方向Ｚを示す矢印の先端側に表示装置ＤＳＰを観察する観察位置があるものとし、この観察位置から、第１方向Ｘ及び第２方向Ｙによって規定されるＸ−Ｙ平面に向かってみることを平面視という。
【０００９】
本実施形態においては、表示装置の一例として、高分子分散型液晶を適用した表示装置について説明する。表示装置ＤＳＰは、表示パネルＰＮＬ、及び、配線基板Ｆ１乃至Ｆ３を備えている。また、表示装置ＤＳＰは、ここでは図示しない光源部も備えている。  
表示パネルＰＮＬは、第１基板ＳＵＢ１、第２基板ＳＵＢ２、及び、第３基板ＳＵＢ３を備えている。第１基板ＳＵＢ１、第２基板ＳＵＢ２、及び、第３基板ＳＵＢ３は、第３方向Ｚにこの順に並び、平面視で互いに重畳している。表示パネルＰＮＬは、画像を表示する表示領域ＤＡ、及び、表示領域ＤＡを囲む額縁状の非表示領域ＮＤＡを備えている。表示領域ＤＡは、第１基板ＳＵＢ１及び第２基板ＳＵＢ２が重畳している領域に位置している。表示パネルＰＮＬは、表示領域ＤＡにおいて、ｎ本の走査線Ｇ（Ｇ１〜Ｇｎ）、及び、ｍ本の信号線Ｓ（Ｓ１〜Ｓｍ）を備えている。なお、ｎ及びｍはいずれも正の整数であり、ｎがｍと等しくてもよいし、ｎがｍとは異なっていてもよい。複数の走査線Ｇは、それぞれ第１方向Ｘに延出し、第２方向Ｙに間隔をおいて並んでいる。複数の信号線Ｓは、それぞれ第２方向Ｙに延出し、第１方向Ｘに間隔をおいて並んでいる。
【００１０】
第１基板ＳＵＢ１は、第１方向Ｘに沿って延出した端部Ｅ１１及び端部Ｅ１４と、第２方向Ｙに沿って延出した端部Ｅ１２及び端部Ｅ１３とを有している。第２基板ＳＵＢ２は、第１方向Ｘに沿って延出した端部Ｅ２１及び端部Ｅ２４と、第２方向Ｙに沿って延出した端部Ｅ２２及び端部Ｅ２３とを有している。第３基板ＳＵＢ３は、第１方向Ｘに沿って延出した端部Ｅ３１及び端部Ｅ３４と、第２方向Ｙに沿って延出した端部Ｅ３２及び端部Ｅ３３とを有している。  
図１に示した例では、平面視で、端部Ｅ１１、端部Ｅ２１、及び、端部Ｅ３１は重畳しているが、３つの端部のうちの少なくとも１つがずれる場合があり得る。同様に、端部Ｅ１２、端部Ｅ２２、及び、端部Ｅ３２は重畳しているが、互いにずれる場合があり得る。同様に、端部Ｅ１３、端部Ｅ２３、及び、端部Ｅ３３は重畳しているが、互いにずれる場合があり得る。端部Ｅ２４及び端部Ｅ３４は、平面視で、端部Ｅ１４と表示領域ＤＡとの間に位置している。第１基板ＳＵＢ１は、端部Ｅ１４と端部Ｅ２４との間に延出部Ｅｘを有している。
【００１１】
配線基板Ｆ１乃至Ｆ３は、それぞれ延出部Ｅｘに接続され、この順に第１方向Ｘに並んでいる。配線基板Ｆ１は、ゲートドライバＧＤ１を備えている。配線基板Ｆ２は、ソースドライバＳＤを備えている。配線基板Ｆ３は、ゲートドライバＧＤ２を備えている。なお、配線基板Ｆ１乃至Ｆ３は、単一の配線基板に置換されてもよい。  
複数の信号線Ｓは、非表示領域ＮＤＡに引き出され、ソースドライバＳＤに接続されている。複数の走査線Ｇは、非表示領域ＮＤＡに引き出され、ゲートドライバＧＤ１及びＧＤ２に接続されている。図１に示した例では、奇数番目の走査線Ｇは、端部Ｅ１３と表示領域ＤＡとの間に引き出され、ゲートドライバＧＤ２に接続されている。また、偶数番目の走査線Ｇは、端部Ｅ１２と表示領域ＤＡとの間に引き出され、ゲートドライバＧＤ１に接続されている。なお、ゲートドライバＧＤ１及びＧＤ２と各走査線Ｇとの接続関係は図示した例に限らない。
【００１２】
図２は、図１に示した表示装置ＤＳＰの斜視図である。ここでは、配線基板Ｆ１乃至Ｆ３の図示を省略している。光源部ＬＵは、第１基板ＳＵＢ１の上に位置し、端部Ｅ２４及びＥ３４に沿って配置されている。光源部ＬＵは、複数の発光素子ＬＳと、点線で示した配線基板Ｆ４とを備えている。複数の発光素子ＬＳは、第１方向Ｘに沿って間隔をおいて並んでいる。発光素子ＬＳの各々は、配線基板Ｆ４に接続されている。発光素子ＬＳは、第１基板ＳＵＢ１と配線基板Ｆ４との間に位置している。発光素子ＬＳは、例えば発光ダイオードである。発光素子ＬＳは、発光部ＥＭを有している。発光部ＥＭは、端部Ｅ２４及び端部Ｅ３４と向かい合っている。発光部ＥＭは、端部Ｅ２４及び端部Ｅ３４に接触していてもよい。また、発光部ＥＭと端部Ｅ２４及び端部Ｅ３４との間に、空気層、光学素子などが介在していてもよい。端部Ｅ２４及び端部Ｅ３４は、発光部ＥＭから出射された光が入射する入光部に相当する。
【００１３】
本明細書において、第２基板ＳＵＢ２の端部Ｅ２１乃至Ｅ２４のうち、光源部ＬＵが配置される入光用の端部が第１端部に相当し、第１端部とは異なる位置のその他の端部が第２端部に相当する。第１基板ＳＵＢ１の端部Ｅ１１乃至Ｅ１４のうち、第２端部側に位置する端部が第３端部に相当する。第３基板ＳＵＢ３の端部Ｅ３１乃至Ｅ３４のうち、第１端部側に位置する端部が第４端部に相当し、第２端部側に位置する端部が第５端部に相当する。  
一例では、端部Ｅ２４が第１端部に相当し、端部Ｅ２１乃至Ｅ２３が第２端部に相当し、端部Ｅ１１乃至Ｅ１３が第３端部に相当し、端部Ｅ３４が第４端部に相当し、端部Ｅ３１乃至Ｅ３３が第５端部に相当する。  
なお、第２端部、第３端部、及び、第５端部は、平面視で曲線状の端部を含んでいてもよい。一方、第２端部が直線状に延びた複数の端部Ｅ２１乃至Ｅ２３を有する場合には、第１端部と対向する端部Ｅ２１を第１部分とし、第１端部及び第１部分にそれぞれ隣接し互いに対向する端部Ｅ２２及びＥ２３をそれぞれ第２部分及び第３部分とする。
【００１４】
図３は、図１に示した表示装置ＤＳＰの断面図である。ここでは、第２方向Ｙ及び第３方向Ｚによって規定されるＹ−Ｚ平面における表示装置ＤＳＰの断面において、主要部のみを説明する。表示パネルＰＮＬは、第１基板ＳＵＢ１と第２基板ＳＵＢ２との間に保持された液晶層３０を備えている。第１基板ＳＵＢ１及び第２基板ＳＵＢ２は、シール４０によって接着されている。第３基板ＳＵＢ３は、表示領域ＤＡ及び非表示領域ＮＤＡに亘って配置された透明接着剤ＡＤにより、第２基板ＳＵＢ２に接着されている。  
第１基板ＳＵＢ１は、透明基板１０、画素電極１１、配向膜１２などを備えている。第２基板ＳＵＢ２は、透明基板２０、共通電極２１、配向膜２２などを備えている。第３基板ＳＵＢ３は、透明基板である。透明基板１０及び２０、及び、第３基板ＳＵＢ３は、ガラス基板やプラスチック基板などの絶縁基板である。画素電極１１及び共通電極２１は、例えばインジウム錫酸化物（ＩＴＯ）やインジウム亜鉛酸化物（ＩＺＯ）などの透明導電材料によって形成されている。配向膜１２及び２２は、Ｘ−Ｙ平面に略平行な配向規制力を有する水平配向膜であってもよいし、第３方向Ｚに略平行な配向規制力を有する垂直配向膜であってもよい。液晶層３０は、少なくとも表示領域ＤＡに位置している。液晶層３０は、配向膜１２と配向膜２２との間に位置している。液晶層３０は、図４及び図５を参照して説明するように、画素電極１１及び共通電極２１の電圧に応じて透明状態と散乱状態とが制御される。
【００１５】
発光素子ＬＳは、延出部Ｅｘの上に位置している。また、発光素子ＬＳは、配線基板Ｆ１乃至Ｆ３と第２基板ＳＵＢ２との間に位置している。発光素子ＬＳは、発光部ＥＭから端部Ｅ２４及び端部Ｅ３４に向けて光を出射する。端部Ｅ２４及び端部Ｅ３４から表示パネルＰＮＬに入射した光は、後述するように、第２方向Ｙを示す矢印とは逆向きに伝播する。なお、発光素子ＬＳは、第１基板ＳＵＢ１、第２基板ＳＵＢ２、及び、第３基板ＳＵＢ３のそれぞれの端部と対向していてもよく、例えば、端部Ｅ１１、端部Ｅ２１、及び、端部Ｅ３１と対向していてもよい。
【００１６】
図４は、透明状態の液晶層３０を模式的に示す図である。図４に示した例は、液晶層３０に電圧が印加されていない状態（例えば画素電極１１と共通電極２１との間の電位差がほぼゼロである状態）に相当する。
【００１７】
液晶層３０は、高分子化合物であるポリマー３１と、液晶分子３２と、を含む高分子分散型液晶層である。一例では、ポリマー３１は、液晶性ポリマーである。ポリマーは、例えば、液晶性モノマーが配向膜１２及び２２の配向規制力によって所定の方向に配向した状態で重合されることによって得られる。一例では、配向膜１２及び２２の配向処理方向は第１方向Ｘであり、配向膜１２及び２２は第１方向Ｘに沿った配向規制力を有している。このため、ポリマー３１は、第１方向Ｘに沿って延びた筋状に形成される。液晶分子３２は、ポリマー３１の隙間に分散され、その長軸が第１方向Ｘに沿うように配向される。  
ポリマー３１及び液晶分子３２の各々は、光学異方性あるいは屈折率異方性を有している。液晶分子３２は、正の誘電率異方性を有するポジ型の液晶性分子であってもよいし、負の誘電率異方性を有するネガ型の液晶性分子であってもよい。ポリマー３１及び液晶分子３２の各々の電界に対する応答性は異なる。ポリマー３１の電界に対する応答性は、液晶分子３２の電界に対する応答性より低い。
【００１８】
ポリマー３１の光軸Ａｘ１及び液晶分子３２の光軸Ａｘ２は、互いに平行である。図４に示した例では、光軸Ａｘ１及び光軸Ａｘ２は、いずれも第１方向Ｘに平行である。ポリマー３１及び液晶分子３２は、ほぼ同等の屈折率異方性を有している。つまり、ポリマー３１及び液晶分子３２の常光屈折率は互いにほぼ同等であり、また、ポリマー３１及び液晶分子３２の異常光屈折率は互いにほぼ同等である。このため、第１方向Ｘ、第２方向Ｙ、及び、第３方向Ｚを含むあらゆる方向において、ポリマー３１と液晶分子３２との間にほとんど屈折率差がない。このため、第３方向Ｚに沿って液晶層３０に入射した光Ｌ１は、液晶層３０内でほとんど散乱されることなく透過する。同様に、第３方向Ｚに対して傾斜した斜め方向に入射した光Ｌ２及びＬ３についても、液晶層３０内でほとんど散乱されることはない。このため、高い透明性が得られる。図４に示した状態を『透明状態』と称する。例えば、光Ｌ３は、図３に示した発光素子ＬＳから出射された光に相当し、液晶層３０においてほとんど散乱されることなく、第２方向Ｙの矢印で示した向きとは逆向きに伝播する。
【００１９】
図５は、散乱状態の液晶層３０を模式的に示す図である。図５に示した例は、液晶層３０に電圧が印加された状態（例えば画素電極１３と共通電極２１との間の電位差がしきい値以上である状態）に相当する。上記の通り、ポリマー３１の電界に対する応答性は、液晶分子３２の電界に対する応答性より低い。一例では、ポリマー３１の配向方向は、電界の有無にかかわらずほとんど変化しない。一方、液晶分子３２の配向方向は、液晶層３０にしきい値以上の高い電圧が印加された状態では、電界に応じて変化する。つまり、光軸Ａｘ１は第１方向Ｘとほとんど平行であるのに対して、光軸Ａｘ２は第１方向Ｘに対して傾斜している。液晶分子３２がポジ型液晶性分子である場合には、液晶分子３２は、その長軸が電界に沿うように配向する。画素電極１１と共通電極２１との間の電界は、第３方向Ｚに沿って形成される。このため、液晶分子３２は、その長軸あるいは光軸Ａｘ２が第３方向Ｚに沿うように配向する。つまり、光軸Ａｘ１及びＡｘ２は、互いに交差する。したがって、第１方向Ｘ、第２方向Ｙ、及び、第３方向Ｚを含むあらゆる方向において、ポリマー３１と液晶分子３２との間に大きな屈折率差が生ずる。これにより、液晶層３０に入射した光Ｌ１乃至Ｌ３は、液晶層３０内で散乱される。図５に示した状態を『散乱状態』と称する。
【００２０】
図６は、液晶層３０が透明状態である場合の表示パネルＰＮＬを示す断面図である。発光素子ＬＳから出射された光Ｌ１１は、端部Ｅ２４及び端部Ｅ３４から表示パネルＰＮＬに入射し、第１基板ＳＵＢ１、液晶層３０、第２基板ＳＵＢ２、及び、第３基板ＳＵＢ３を伝播する。液晶層３０が透明状態であるため、光Ｌ１１は、液晶層３０でほとんど散乱されず、透明基板１０の下面１０Ｂ及び第３基板ＳＵＢ３の上面３Ｔからほとんど漏れ出すことはない。  
表示パネルＰＮＬに入射する外部光Ｌ１２は、液晶層３０でほとんど散乱されることなく透過する。つまり、下面１０Ｂから表示パネルＰＮＬに入射した外部光は上面３Ｔを透過し、上面３Ｔから表示パネルＰＮＬに入射した外部光は下面１０Ｂを透過する。このため、ユーザは、表示パネルＰＮＬを上面３Ｔ側から観察した場合には、表示パネルＰＮＬを透かして下面１０Ｂ側の背景を視認することができる。同様に、ユーザは、表示パネルＰＮＬを下面１０Ｂ側から観察した場合には、表示パネルＰＮＬを透かして上面３Ｔ側の背景を視認することができる。
【００２１】
図７は、液晶層３０が散乱状態である場合の表示パネルＰＮＬを示す断面図である。発光素子ＬＳから出射された光Ｌ２１は、端部Ｅ２４及び端部Ｅ３４から表示パネルＰＮＬに入射し、表示パネルＰＮＬを伝播する。図７に示した例では、画素電極１１Ａと重畳する液晶層３０が透明状態であるため、光Ｌ２１は、液晶層３０のうち画素電極１１Ａと重畳する領域でほとんど散乱されない。一方、画素電極１１Ｂと重畳する液晶層３０は散乱状態である。このため、光Ｌ２１は、液晶層３０のうち画素電極１１Ｂと重畳する領域で散乱される。光Ｌ２１のうち、一部の散乱光Ｌ２１１は上面３Ｔを透過し、一部の散乱光Ｌ２１２は下面１０Ｂを透過し、他の散乱光は表示パネルＰＮＬ内を伝播する。  
画素電極１１Ａと重畳する領域では、表示パネルＰＮＬに入射する外部光Ｌ２２は、図６に示した外部光Ｌ１２と同様に、液晶層３０でほとんど散乱されることなく透過される。画素電極１１Ｂと重畳する領域では、下面１０Ｂから入射した外部光Ｌ２３は、液晶層３０で散乱された後に、その一部の光Ｌ２３１が上面３Ｔを透過する。また、上面３Ｔから入射した外部光Ｌ２４は、液晶層３０で散乱された後に、その一部の光Ｌ２４１が下面１０Ｂを透過する。このため、ユーザは、表示パネルＰＮＬを上面３Ｔ側から観察した場合には、画素電極１１Ｂと重畳する領域で光Ｌ２１の色を視認することができる。加えて、一部の外部光Ｌ２３１が表示パネルＰＮＬを透過するため、ユーザは、表示パネルＰＮＬを透かして下面１０Ｂ側の背景を視認することもできる。同様に、ユーザは、表示パネルＰＮＬを下面１０Ｂ側から観察した場合には、画素電極１１Ｂと重畳する領域で光Ｌ２１の色を視認することができる。加えて、一部の外部光Ｌ２４１が表示パネルＰＮＬを透過するため、ユーザは、表示パネルＰＮＬを透かして上面３Ｔ側の背景を視認することもできる。なお、画素電極１１Ａと重畳する領域では、液晶層３０が透明状態であるため、光Ｌ２１の色はほとんど視認されず、ユーザは、表示パネルＰＮＬを透かして背景を視認することができる。
【００２２】
ところで、図６に示した光Ｌ１１は、端部Ｅ３１に到達した後に、外部に漏れ出す場合がある。同様に、端部Ｅ１１及び端部Ｅ２１においても、表示パネルＰＮＬを伝播した光が漏れ出す場合がある。端部Ｅ１１、端部Ｅ２１、及び、端部Ｅ３１を露出した表示装置ＤＳＰにおいて、不所望な漏れ光の発生は、表示装置ＤＳＰの見栄えの低下を招くおそれがある。また、端部Ｅ２１付近は、光源部ＬＵから離れた位置にあり、入光部である端部Ｅ２４付近と比較して、低輝度となる傾向にある。このような端部Ｅ２１付近と端部Ｅ２４付近との輝度差は、表示品位の低下を招くおそれがある。  
そこで、本明細書では、不所望な漏れ光を抑制すべく、以下に第１乃至第４構成例を開示する。
【００２３】
≪第１構成例≫  
図８Ａは、第１構成例を示す断面図である。表示装置ＤＳＰは、光学的な機能を有する機能部材１００を備えている。機能部材１００は、例えば、遮光部材、反射部材、拡散部材などである。機能部材１００は、端部Ｅ２１に配置されている。図８Ａに示した例では、機能部材１００は、端部Ｅ２１に接触している。機能部材１００は、端部Ｅ２１に直接形成される薄膜であってもよいし、接着剤によって端部Ｅ２１に接着される薄膜であってもよい。  
機能部材１００は、端部Ｅ１１及び端部Ｅ３１にも配置されている。端部Ｅ１１、端部Ｅ２１、及び、端部Ｅ３１にそれぞれ配置される機能部材１００は、個別のものであってもよいし、一体のものであってもよい。図８Ａに示した例では、端部Ｅ１１、端部Ｅ２１、及び、端部Ｅ３１は、第１方向Ｘ及び第３方向Ｚによって規定されるＸ−Ｚ平面と平行な同一平面に位置している。つまり、端部Ｅ２１は端部Ｅ１１の直上に位置し、端部Ｅ３１は端部Ｅ２１の直上に位置している。このような例では、単一の機能部材１００が端部Ｅ１１、端部Ｅ２１、及び、端部Ｅ３１に亘って配置されている。
図８Ｂは、第１構成例の第１変形例を示す断面図である。第３基板ＳＵＢ３は、第１基板ＳＵＢ１の下に配置され、第１基板ＳＵＢ１に接着されている。このような第１変形例においても、機能部材１００は、端部Ｅ１１、端部Ｅ２１、及び、端部Ｅ３１にそれぞれ配置されている。
図８Ｃは、第１構成例の第２変形例を示す断面図である。第２変形例は、第１変形例と比較して、端部Ｅ３４、端部Ｅ１４、及び、端部Ｅ２４が第３方向Ｚに沿ってこの順に並び、これらの端部がＸ−Ｚ平面とほぼ平行な同一平面に位置している点で相違している。端部Ｅ３４、端部Ｅ１４、及び、端部Ｅ２４と、発光素子ＬＳとは、それぞれ第２方向Ｙに対向している。
【００２４】
図９は、機能部材１００が遮光部材である場合の作用を説明するための断面図である。遮光部材は、例えば黒色等に着色された樹脂材料や、遮光性の金属材料によって形成されている。発光素子ＬＳから出射された光Ｌ３１は、端部Ｅ２４及び端部Ｅ３４から入射し、第１基板ＳＵＢ１、第２基板ＳＵＢ２、及び、第３基板ＳＵＢ３を伝播する。端部Ｅ２１に到達した光Ｌ３１は、機能部材１００によって遮光される。他の端部Ｅ１１及び端部Ｅ３１に到達した光Ｌ３１についても同様に、機能部材１００によって遮光される。このため、不所望な漏れ光を抑制することができる。したがって、表示装置ＤＳＰにおいて、その外観の見栄えの低下を抑制することができる。
【００２５】
図１０は、機能部材１００が反射部材である場合の作用を説明するための断面図である。反射部材は、例えばアルミニウム、銀、チタンなどの高反射率の金属材料によって形成されている。発光素子ＬＳから出射された光Ｌ３１は、端部Ｅ２４及び端部Ｅ３４から入射し、第１基板ＳＵＢ１、第２基板ＳＵＢ２、及び、第３基板ＳＵＢ３を伝播する。端部Ｅ２１に到達した光Ｌ３１は、機能部材１００により発光素子ＬＳ側に向けて反射される。他の端部Ｅ１１及び端部Ｅ３１に到達した光Ｌ３１についても同様に、機能部材１００によって反射される。このため、不所望な漏れ光を抑制することができるとともに、発光素子ＬＳとは反対の端部Ｅ２１側に到達した光を再利用することができる。したがって、端部Ｅ２１側の輝度の低下を抑制することができる。これにより、発光素子ＬＳに近接する端部Ｅ２４側と、発光素子ＬＳから離間した端部Ｅ２１側とでの輝度差を低減することができ、表示品位の低下を抑制することができる。  
図１０に示した例において、端部Ｅ２４が第１端部に相当し、端部Ｅ２１が第２端部に相当し、端部Ｅ１１が第３端部に相当し、端部Ｅ３４が第４端部に相当し、端部Ｅ３１が第５端部に相当する。
【００２６】
≪第２構成例≫  
図１１は、第２構成例を示す断面図である。第２構成例は、第１構成例と比較して、機能部材１００が非表示領域ＮＤＡの下面１０Ｂ及び上面３Ｔにも配置される点で相違している。すなわち、単一の機能部材１００は、端部Ｅ１１、端部Ｅ２１、及び、端部Ｅ３１に亘って配置され、端部Ｅ１１を超える部分が折り曲げられて下面１０Ｂに配置され、また、端部Ｅ３１を超える部分が折り曲げられて上面３Ｔに配置されている。なお、機能部材１００は、上記の遮光部材であってもよいし、反射部材であってもよい。  
このような第２構成例においても、第１構成例と同様の効果が得られる。加えて、非表示領域ＮＤＡにおける下面１０Ｂ及び上面３Ｔからの不所望な漏れ光を抑制することができる。
【００２７】
≪第３構成例≫  
図１２は、第３構成例を示す断面図である。第３構成例は、第１構成例と比較して、複数の機能部材１００Ａ及び１００Ｂを備える点で相違している。図１２に示した例では、端部Ｅ２１は端部Ｅ１１の直上に位置する一方で、端部Ｅ３１は端部Ｅ２１の直上に位置せず、端部Ｅ３１は端部Ｅ２１よりも第２方向Ｙにずれている。機能部材１００Ａは端部Ｅ１１及び端部Ｅ２１に配置され、機能部材１００Ｂは端部Ｅ３１に配置されている。なお、機能部材１００Ａ及び１００Ｂは、上記の遮光部材であってもよいし、反射部材であってもよい。また、第３方向Ｚに並ぶ端部の個数だけ機能部材を分離してもよく、端部Ｅ１１、端部Ｅ２１、及び、端部Ｅ３１のそれぞれに個別の機能部材が配置されてもよい。  
このような第３構成例においても、第１構成例と同様の効果が得られる。加えて、端部Ｅ１１、端部Ｅ２１、及び、端部Ｅ３１のうちの少なくとも１つがずれた場合において、複数の機能部材１００Ａ及び１００Ｂが、端部Ｅ１１、端部Ｅ２１、及び、端部Ｅ３１から浮きにくくなる。このため、機能部材１００Ａ及び１００Ｂが反射部材である場合に、反射光のムラに起因した表示品位の低下を抑制することができる。
【００２８】
≪第４構成例≫  
図１３は、第４構成例を示す断面図である。第４構成例は、第１構成例と比較して、互いに機能が異なる第１機能部材１１０及び第２機能部材１２０を備える点で相違している。図１３示した例では、第２機能部材１２０は端部Ｅ２１に接触し、第１機能部材１１０は第２機能部材１２０に接触している。第１機能部材１１０と端部Ｅ２１との間に、第２機能部材１２０に加えて他の機能部材が配置されてもよい。第１機能部材１１０が端部Ｅ２１に直接形成される薄膜であって、第２機能部材１２０が第１機能部材１１０に直接形成される薄膜であってもよいし、第１機能部材１１０が薄膜であって、第２機能部材１２０が第１機能部材１１０を端部Ｅ２１に接着する接着剤であってもよい。一例では、第１機能部材１１０は反射部材であり、第２機能部材１２０は拡散部材である。  
第１機能部材１１０及び第２機能部材１２０の積層体は、端部Ｅ１１及び端部Ｅ３１にも配置されている。端部Ｅ２１が端部Ｅ１１の直上に位置し、端部Ｅ３１が端部Ｅ２１の直上に位置する例では、単一の第１機能部材１１０と単一の第２機能部材１２０が第２方向Ｙに重なり、第１機能部材１１０及び第２機能部材１２０が端部Ｅ１１、端部Ｅ２１、及び、端部Ｅ３１に亘って配置されている。  
なお、第１機能部材１１０及び第２機能部材１２０は、第２構成例と同様に、下面１０Ｂ及び上面３Ｔに延びていてもよい。また、第１機能部材１１０及び第２機能部材１２０は、第３構成例と同様に、各端部に配置されるように分離されていてもよい。
【００２９】
図１４は、拡散部材である第２機能部材１２０の拡散性を説明するための図である。第２機能部材１２０は、第２方向Ｙに沿った入射光を、Ｘ−Ｚ平面内に拡散する。ここで説明する第２機能部材１２０は、第１方向Ｘに沿った拡散性Ｄｘが第３方向Ｚに沿った拡散性Ｄｚよりも大きい異方性拡散部材である。上記の通り、端部Ｅ２１の長手方向は第１方向Ｘと平行であり、端部Ｅ２１の厚さ方向は第３方向Ｚと平行である。つまり、第２機能部材１２０を通る光は、端部Ｅ２１の厚さ方向よりも端部Ｅ２１の長手方向に大きく拡散される。
【００３０】
図１５は、図１４に示した第２機能部材１２０の作用を説明するための断面図である。第２機能部材１２０が小さい拡散性Ｄｚを有することにより、第１機能部材１１０で反射された反射光の第３方向Ｚの拡散を抑制することができる。このため、反射光の下面１０Ｂ及び上面３Ｔからの漏れ出しを抑制することができる。
【００３１】
図１６は、図１４に示した第２機能部材１２０の作用を説明するための平面図である。第２機能部材１２０が大きい拡散性Ｄｘを有することにより、第１機能部材１１０で反射された反射光が第１方向Ｘに広がり、端部Ｅ２１等の近傍において反射光の輝度を均一化することができる。また、端部Ｅ２１等がクラックや微細な凹凸を有する場合であっても、第２機能部材１２０の散乱効果により、反射光の輝度を均一化することができる。
【００３２】
≪配置例≫  
以下に、各種機能部材の配置例について説明する。なお、以下に説明する各配置例においては、上記の第１乃至第４構成例のいずれも適用可能である。
【００３３】
図１７は、第１配置例を示す平面図である。単一の機能部材１００は、入光部である端部Ｅ２４及び端部Ｅ３４の反対側の端部Ｅ１１、端部Ｅ２１、及び、端部Ｅ３１のみに配置されている。機能部材１００は、遮光部材あるいは反射部材である。機能部材１００が遮光部材である場合には、端部Ｅ２１における漏れ光を抑制することができる。機能部材１００が反射部材である場合には、端部Ｅ２１における漏れ光を抑制し、且つ、端部Ｅ２１側での輝度の低下を抑制することができる。
【００３４】
図１８は、第２配置例を示す平面図である。第２配置例は、第１配置例と比較して、複数の機能部材１０１乃至１０３を備える点で相違している。機能部材１０１は、第１方向Ｘに沿った端部Ｅ１１、端部Ｅ２１、及び、端部Ｅ３１に配置されている。機能部材１０２は、第２方向Ｙに沿った端部Ｅ１２、端部Ｅ２２、及び、端部Ｅ３２に配置されている。機能部材１０３は、端部Ｅ１３、端部Ｅ２３、及び、端部Ｅ３３に配置されている。機能部材１０１乃至１０３は、それぞれ個別に形成されている。機能部材１０１乃至１０３は、遮光部材あるいは反射部材である。  
なお、機能部材１０１乃至１０３がすべて遮光部材であってもよいし、すべて反射部材であってもよい。また、機能部材１０１が反射部材であり、機能部材１０２及び１０３が遮光部材である組み合わせ、機能部材１０１が遮光部材であり、機能部材１０２及び１０３が反射部材である組み合わせ、等も適用可能である。  
このような第２配置例によれば、第１配置例と同様の効果が得られる。加えて、機能部材１０２及び１０３が遮光部材である場合には、端部Ｅ２２及びＥ２３における漏れ光も抑制することができる。また、機能部材１０２及び１０３が反射部材である場合には、端部Ｅ２２及びＥ２３における漏れ光を抑制し、且つ、端部Ｅ２２側及び端部Ｅ２３側での輝度の低下を抑制することができる。
【００３５】
図１９は、第３配置例を示す平面図である。第３配置例は、第１配置例と比較して、単一の機能部材１００が入光部を除く３辺に沿って配置される点で相違している。すなわち、機能部材１００は、端部Ｅ１１、端部Ｅ２１、及び、端部Ｅ３１に配置され、また、端部Ｅ１２、端部Ｅ２２、及び、端部Ｅ３２に配置され、さらに、端部Ｅ１３、端部Ｅ２３、及び、端部Ｅ３３に配置されている。機能部材１００は、遮光部材あるいは反射部材である。  
このような第３配置例においても、第２配置例と同様の効果が得られる。
【００３６】
図２０は、第４配置例を示す平面図である。第４配置例は、第１配置例と比較して、互いに機能が異なる第１機能部材１１１及び第２機能部材１２１を備える点で相違している。第２機能部材１２１は、端部Ｅ１１、端部Ｅ２１、及び、端部Ｅ３１に接触している。第１機能部材１１１は、第２機能部材１２１に重なっている。一例では、第１機能部材１１１は反射部材であり、第２機能部材１２１は拡散部材である。  
このような第４配置例においては、端部Ｅ２１における漏れ光を抑制し、且つ、端部Ｅ２１側での輝度の低下を抑制するとともに輝度の均一化を図ることができる。
【００３７】
図２１は、第５配置例を示す平面図である。第５配置例は、第４配置例と比較して、第１機能部材１１１とは別に、第１機能部材１１２及び１１３を備える点で相違している。第１機能部材１１２は、端部Ｅ１２、端部Ｅ２２、及び、端部Ｅ３２に接触している。第１機能部材１１３は、端部Ｅ１３、端部Ｅ２３、及び、端部Ｅ３３に接触している。一例では、第１機能部材１１１乃至１１３は反射部材であり、第２機能部材１２１は拡散部材である。  
このような第５配置例においては、第４配置例と同様の効果が得られる。加えて、端部Ｅ２２側及び端部Ｅ２３側での輝度の低下を抑制することができる。
【００３８】
図２２は、第６配置例を示す平面図である。第６配置例は、第５配置例と比較して、さらに、第２機能部材１２２及び１２３を備える点で相違している。第２機能部材１２２は、端部Ｅ１２、端部Ｅ２２、及び、端部Ｅ３２に接触している。第１機能部材１１２は、第２機能部材１２２に重なっている。第２機能部材１２３は、端部Ｅ１３、端部Ｅ２３、及び、端部Ｅ３３に接触している。第２機能部材１１３は、第２機能部材１２３に重なっている。一例では、第１機能部材１１１乃至１１３は反射部材であり、第２機能部材１２１乃至１２３は拡散部材である。  
このような第５配置例においては、第４配置例と同様の効果が得られる。加えて、端部Ｅ２２側及び端部Ｅ２３側での輝度の低下を抑制するとともに輝度の均一化を図ることができる。
【００３９】
図２３は、第７配置例を示す平面図である。第７配置例は、上記配置例と比較して、複数の光源部ＬＵ１及びＬＵ２を備えている点で相違している。第１基板ＳＵＢ１は、第２基板ＳＵＢ２及び第３基板ＳＵＢ３よりも第２方向Ｙに沿って延出した延出部Ｅｘ１及びＥｘ２を備えている。光源部ＬＵ１は延出部Ｅｘ１の上に位置し、光源部ＬＵ２は延出部Ｅｘ２の上に位置している。
【００４０】
光源部ＬＵ１は、端部Ｅ２４及び端部Ｅ３４に沿って配置されている。光源部ＬＵ１は、第１方向Ｘに間隔をおいて並んだ複数の発光素子ＬＳ１と、発光素子ＬＳ１が接続される配線基板Ｆ４とを備えている。一例では、第１方向Ｘに並んだ２つの発光素子ＬＳ１がそれぞれ第１発光素子及び第２発光素子に相当する。端部Ｅ２４及び端部Ｅ３４には、２つの発光素子ＬＳ１の間に位置する第２機能部材１２４が配置され、また、第１機能部材１１３が第２機能部材１２４に重なっている。  
光源部ＬＵ２は、端部Ｅ２１及び端部Ｅ３１に沿って配置されている。光源部ＬＵ２は、第１方向Ｘに間隔をおいて並んだ複数の発光素子ＬＳ２と、発光素子ＬＳ２が接続される配線基板Ｆ５とを備えている。端部Ｅ２１及び端部Ｅ３１には、２つの発光素子ＬＳ２の間に位置する第２機能部材１２１が配置され、また、第１機能部材１１１が第２機能部材１２１に重なっている。第１機能部材１１１及び１１４は反射部材であり、第２機能部材１２１及び１２４は拡散部材である。
【００４１】
発光素子ＬＳ１からの出射光は、端部Ｅ２４及び端部Ｅ３４から入射し、端部Ｅ２１及び端部Ｅ３１に向かって伝播する。端部Ｅ２１及び端部Ｅ３１に到達した光は、第２機能部材１２１によって拡散されるとともに第１機能部材１１１によって反射される。同様に、発光素子ＬＳ２からの出射光は、端部Ｅ２１及び端部Ｅ３１から入射し、端部Ｅ２４及び端部Ｅ３４に向かって伝播する。端部Ｅ２４及び端部Ｅ３４に到達した光は、第２機能部材１２４によって拡散されるとともに第１機能部材１１４によって反射される。  
このような第７配置例によれば、端部Ｅ２１側及び端部Ｅ２４側での輝度低下を抑制することができ、且つ、輝度の均一化を図ることができる。
【００４２】
図２４は、第８配置例を示す平面図である。第８配置例は、上記配置例と比較して、第１基板ＳＵＢ１、第２基板ＳＵＢ２、及び第３基板ＳＵＢ３が異なる形状を有する点で相違している。第１基板ＳＵＢ１は、第１方向Ｘに沿って延出した端部Ｅ１５と、少なくとも一部が平面視で曲線状に形成された端部Ｅ１６と、を有している。図２４に示した例では、第１基板ＳＵＢ１は、平面視で、長円形状（あるいはトラック状）に形成されている。第２基板ＳＵＢ２及び第３基板ＳＵＢ３も、第１基板ＳＵＢ１と略同一形状である。第２基板ＳＵＢ２は、端部Ｅ１５側に位置する端部Ｅ２５と、端部Ｅ１６側に位置する端部Ｅ２６とを有している。同様に、第３基板ＳＵＢ３は、端部Ｅ１５側に位置する端部Ｅ３５と、端部Ｅ１６側に位置する端部Ｅ３６とを有している。  
光源部ＬＵは、端部Ｅ１５、端部Ｅ２５、及び、端部Ｅ３５に沿って配置されている。第２機能部材１２０は、端部Ｅ１６、端部Ｅ２６、及び、端部Ｅ３６に配置されている。第１機能部材１１０は、第２機能部材１２０に重なっている。  
このような第８配置例によれば、端部Ｅ２６側での輝度低下を抑制することができ、且つ、輝度の均一化を図ることができる。
【００４３】
以上説明したように、本実施形態によれば、不所望な漏れ光を抑制することが可能な表示装置を提供することができる。
【００４４】
なお、この発明は、上記各実施形態そのものに限定されるものではなく、その実施の段階ではその要旨を逸脱しない範囲で構成要素を変形して具体化できる。また、各実施形態に開示されている複数の構成要素の適宜な組み合せにより種々の発明を形成できる。例えば、各実施形態に示される全構成要素から幾つかの構成要素を削除してもよい。更に、異なる実施形態に亘る構成要素を適宜組み合せてもよい。
【００４５】
上記の実施形態では、表示パネルＰＮＬに高分子分散型液晶を適用した構成例について説明したが、透過型表示パネルあるいは反射型表示パネルと組み合わされる照明装置に、上記構成例を適用してもよい。このような照明装置によれば、表示領域ＤＡの全面のみならず、部分的に散乱状態と透明状態との切り替えが可能である。また、上記構成例を適用することにより、不所望な散乱及び不所望な吸収による損失を低減することができ、光の利用効率を改善することができる。
【００４６】
本明細書にて開示した構成から得られる表示装置の一例を以下に付記する。  
（１）
第１基板と、
第１端部及び前記第１端部とは異なる位置の第２端部を有する第２基板と、
前記第１基板と前記第２基板との間に配置される液晶層と、
前記第１端部に沿って配置される光源部と、
前記第２端部の少なくとも一部に配置される遮光部材と、
を備える表示装置。
（２）
前記第１基板は、前記第２端部側に位置する第３端部を有し、
前記遮光部材は、前記第３端部の少なくとも一部に配置される、（１）に記載の表示装置。
（３）
第３基板を備え、
前記第３基板は、前記第１端部側に位置する第４端部、及び、前記第２端部側に位置する第５端部を有し、
前記光源部は、前記第４端部に沿って配置され、
前記遮光部材は、前記第５端部の少なくとも一部に配置される、（１）または（２）に記載の表示装置。
（４）
第１基板と、
第１端部及び前記第１端部とは異なる位置の第２端部を有する第２基板と、
前記第１基板と前記第２基板との間に配置される液晶層と、
前記第１端部に沿って配置される光源部と、
前記第２端部の少なくとも一部に配置される反射部材と、
を備える表示装置。
（５）
前記第２端部と前記反射部材との間に位置する拡散部材を備える、（４）に記載の表示装置。
（６）
前記拡散部材は、異方性拡散部材である、（５）に記載の表示装置。
（７）
前記第１基板は、前記第２端部側に位置する第３端部を有し、
前記反射部材は、前記第３端部の少なくとも一部に配置される、（４）乃至（６）のいずれか１項に記載の表示装置。
（８）
第３基板を備え、
前記第３基板は、前記第１端部側に位置する第４端部、及び、前記第２端部側に位置する第５端部を有し、
前記光源部は、前記第４端部に沿って配置され、
前記反射部材は、前記第５端部の少なくとも一部に配置される、（４）乃至（７）のいずれか１項に記載の表示装置。
（９）
前記第２端部は、前記第１端部と対向する第１部分と、前記第１端部及び前記第１部分にそれぞれ隣接し互いに対向する第２部分及び第３部分とを有し、
前記反射部材及び前記拡散部材は、前記第１部分に配置され、
前記拡散部材は、前記第１部分に接触する、（４）乃至（８）のいずれか１項に記載の表示装置。
（１０）
前記反射部材及び前記拡散部材は、前記第２部分及び前記第３部分に配置され、
前記拡散部材は、前記第２部分及び前記第３部分にそれぞれ接触する、（９）に記載の表示装置。
（１１）
前記反射部材は、前記第２部分及び前記第３部分に配置され、
前記反射部材は、前記第２部分及び前記第３部分にそれぞれ接触する、（９）に記載の表示装置。
（１２）
前記光源部は、第１発光素子及び第２発光素子を備え、
前記第１端部において、前記第１発光素子と前記第２発光素子との間に位置する拡散部材を備える、（４）に記載の表示装置。
（１３）
前記液晶層は、高分子材料によって形成されたポリマーと、前記ポリマー内に分散された液晶分子と、を含む高分子分散型の液晶層である、（１）乃至（１２）のいずれか１項に記載の表示装置。
（１４）
前記第１基板は第１電極を備え、前記第２基板は第２電極を備え、
前記第１電極と前記第２電極との間に印加される電圧により、前記液晶層の散乱状態が制御される、（１）乃至（１３）のいずれか１項に記載の表示装置。
（１５）
前記第２基板の前記第１端部、及び、前記第３基板の前記第４端部に、前記光源部からの光が入光する、（８）に記載の表示装置。
【符号の説明】
【００４７】
ＤＳＰ…表示装置  ＰＮＬ…表示パネル
ＳＵＢ１…第１基板  Ｅ１１〜Ｅ１４…端部  １１…画素電極  １２…配向膜
ＳＵＢ２…第２基板  Ｅ２１〜Ｅ２４…端部  ２１…画素電極  ２２…配向膜
ＳＵＢ３…第３基板  Ｅ３１〜Ｅ３４…端部
３０…液晶層  ３１…ポリマー  ３２…液晶分子
ＬＵ…光源部
１００…機能部材（遮光部材、反射部材、拡散部材）
【図１】
2019053186.tif 000003
【図２】
2019053186.tif 000004
【図３】
2019053186.tif 000005
【図４】
2019053186.tif 000006
【図５】
2019053186.tif 000007
【図６】
2019053186.tif 000008
【図７】
2019053186.tif 000009
【図８Ａ】
2019053186.tif 000010
【図８Ｂ】
2019053186.tif 000011
【図８Ｃ】
2019053186.tif 000012
【図９】
2019053186.tif 000013
【図１０】
2019053186.tif 000014
【図１１】
2019053186.tif 000015
【図１２】
2019053186.tif 000016
【図１３】
2019053186.tif 000017
【図１４】
2019053186.tif 000018
【図１５】
2019053186.tif 000019
【図１６】
2019053186.tif 000020
【図１７】
2019053186.tif 000021
【図１８】
2019053186.tif 000022
【図１９】
2019053186.tif 000023
【図２０】
2019053186.tif 000024
【図２１】
2019053186.tif 000025
【図２２】
2019053186.tif 000026
【図２３】
2019053186.tif 000027
【図２４】
2019053186.tif 000028